(57)【特許請求の範囲】
【請求項１】
所定の間隔で対向配置された第１および第２フレーム側板部材と、
前記第１および第２フレーム側板部材の間に架け渡されたガイド軸と、
前記ガイド軸に沿って移動するキャリッジと、
前記キャリッジに搭載されたインクジェットヘッドと、
前記キャリッジの移動空間を挟むように、前記第１および第２フレーム側板部材の間に配置されたインク供給部および記録紙搬送ユニットと、
前記第１および第２フレームの間に設けられた記録紙ガイド板と、
前記第１および第２フレームの間に配置されたヘッドメンテナンスユニットとを有し、
前記インク供給部は、少なくとも１個のインクカートリッジが装着されるインクカートリッジホルダを備え、前記インクカートリッジホルダは、前記第１および第２フレーム側板部材に直交する第１端板部分を含み、
前記記録紙搬送ユニットは、前記記録紙ガイド板の表面との間に記録紙搬送路を形成する記録紙ガイド面を含む第１ユニットベースと、前記第１ユニットベースに取り付けられ前記インクジェットヘッドの印字位置を規定するプラテン板と、前記第１ユニットベースに取り付けられた記録紙搬送ローラとを備え、
前記ヘッドメンテナンスユニットは、前記第１および第２フレーム側板部材に直交する第２端板部分を含む第２ユニットベースと、前記第２ユニットベースに取り付けられたヘッドメンテナンス部とを備えており、
前記ヘッドメンテナンスユニットは、前記記録紙搬送ユニットと前記第１フレーム側板部材の間に形成される第１空間部分と、前記記録紙ガイド板の裏面に形成される第２空間部分に配置され、前記第１および第２フレーム側板部材と前記第１および第２端板部分とにより構成されるフレーム組み立て体に収まるように配置されていることを特徴とするインクジェットプリンタ。
【請求項２】
所定の間隔で対向配置された第１および第２フレーム側板部材と、
前記第１および第２フレーム側板部材の間に架け渡されたガイド軸と、
前記ガイド軸に沿って移動するキャリッジと、
前記キャリッジに搭載されたインクジェットヘッドと、
前記キャリッジの移動空間を挟むように、前記第１および第２フレーム側板部材の間に配置されたインク供給部および記録紙搬送ユニットと、
前記第１および第２フレームの間に設けられた記録紙ガイド板と、
前記第１および第２フレームの間に配置されたヘッドメンテナンスユニットとを有し、
前記記録紙搬送ユニットは、前記記録紙ガイド板の表面との間に記録紙搬送路を形成する記録紙ガイド面を含む第１ユニットベースと、前記第１ユニットベースに取り付けられ前記インクジェットヘッドの印字位置を規定するプラテン板と、前記第１ユニットベースに取り付けられた記録紙搬送ローラとを備え、
前記ヘッドメンテナンスユニットは、第２ユニットベースと、前記第２ユニットベースに取り付けられたヘッドメンテナンス部とを備えており、
前記ヘッドメンテナンスユニットは、前記記録紙搬送ユニットと前記第１フレーム側板部材の間に形成される第１空間部分と、前記記録紙ガイド板の裏面に形成される第２空間部分に配置され、
前記第２ユニットベースは、前記第１および第２フレーム側板部材に直交する端板部分と、前記端板部分の前記第１フレーム側板部材側の端から当該第１フレーム側板部材に沿って直角に折れ曲がって延びる側板部分を含み、
前記ヘッドメンテナンス部は、廃インクポンプ、モータ、動力伝達機構、ヘッドキャップおよびワイパを含み、
前記ヘッドキャップおよび前記ワイパは、前記側板部分に搭載されて前記第１空間部分に配置され、
前記廃インクポンプ、前記モータおよび前記動力伝達機構は、前記端板部分に搭載されて前記第２空間部分に配置されていることを特徴とするインクジェットプリンタ。
【発明の詳細な説明】
【０００１】
【発明の属する技術分野】
本発明はインクジェットプリンタに関し、特に、小型化と、組み立て性および保守性の改善を図ったインクジェットプリンタに関するものである。
【０００２】
【従来の技術】
インクジェットプリンタとしては、インクジェットヘッドを搭載したキャリッジを、搬送される記録紙の印字幅方向に往復移動させて、当該記録紙の表面に所定の印字を行なうシリアル型のものが知られている。この形式のインクジェットプリンタは、インクジェットヘッドによる印字位置を経由させて記録紙を搬送する記録紙搬送機構と、インクジェットヘッドにインクを供給するインク供給機構とを備えている。また、インクジェットヘッドの汚れや、インクノズルの目詰まりを防止するためのヘッドメンテナンス機構も備わっている。ヘッドメンテナンス機構は、一般に、インクノズル面に付着したインクの汚れを払拭するためのワイパと、インクノズルから吐出あるいは吸い出される廃インクを回収するためのヘッドキャップが備わっている。
【０００３】
【発明が解決しようとする課題】
インクジェットプリンタは各種の電子機器のプリンタとして利用されているが、例えば、キャッシュレジスタにおけるレシート発行用のプリンタ等として使用される場合には、その設置場所に制約があることが多い。このために、インクジェットプリンタの小型化は常に要求されるところである。
【０００４】
また、インクジェットプリンタの小型化に当っては、その組み立て性、および保守性を損なわないように配慮することも必要になる。すなわち、小型化を図るために、単にインクジェットプリンタの各部品のサイズを縮小しただけでは、小さな部品を狭い場所に取り付けなければならないので、組み立ての作業性が低下してしまう。また、狭い場所に小さな部品が組み付けられた構成のインクジェットプリンタの保守点検作業も困難なものになってしまう。
【０００５】
本発明の課題は、シリアル型のインクジェットプリンタの小型化を、その組み立て性および保守性を阻害することなく実現することにある。
【０００６】
【課題を解決するための手段】
上記の課題を解決するために、本発明のインクジェットプリンタは：フレーム両側面を規定している所定の間隔で対向配置された第１および第２のフレーム側板部材と；これら第１および第２のフレーム側板部材の間に架け渡したガイド軸と；このガイド軸に沿って移動するキャリッジと；このキャリッジに搭載されているインクジェットヘッドヘッドを備えたヘッドユニットと；前記キャリッジの移動空間に対して、その前側あるいは後側において前記第１および第２のフレーム側板部材の間に配置されたインク供給部と；前記キャリッジ移動空間に対して、前記インク供給部とは反対側において前記第１および第２のフレーム側板部材の間に配置された記録紙搬送部と；この記録紙搬送部と前記第１のフレーム側板部材の間に形成された側方隙間部分と；前記第１および第２のフレーム側板部材の下端面によって規定されるフレーム底面と前記記録紙搬送部の裏面とにより規定される裏面側隙間部分と；これら側方隙間部分および裏面側隙間部分に配置されたヘッドメンテナンス部とを有することを特徴としている。
【０００７】
本発明では、プリンタの左右に配置した第１および第２のフレーム側板部材の間において、必要とされるキャリッジ移動空間を挟み、その前後に、当該移動空間の幅寸法に納まるように、また上下に重ならないように、記録紙搬送部とインク供給部を配列している。さらに、ヘッドメンテナンス部は、前後方向に配列した記録紙搬送部、キャリッジ移動空間、インク供給部によって必要とされる空間内の空きスペースに配置するようにしている。すなわち、記録紙搬送部の裏面側および側方に形成される空き空間（裏面側隙間部分および側方隙間部分）に配置するようにしている。従って、本発明によるレイアウトを採用すれば、プリンタの前後および左右、並びに厚さ寸法を可能な限り小さくできるので、小型のプリンタを実現できる。
【０００８】
ここで、前記裏面側隙間部分を次のようにして形成することができる。すなわち、前記記録紙搬送部を前記第２のフレーム側板部材に取付けた記録紙ガイド板を備えたものとし、この記録紙ガイド板を、前記キャリッジ移動空間の側から遠ざかるに伴って上方に傾斜した傾斜板部分を備えた構成とし、この傾斜板部分の表面を記録紙ガイド面とし、当該傾斜板部分の裏面を前記記録紙搬送部の前記裏面とすれば、記録紙搬送部の裏面側にはプリンタ幅方向に延びるほぼ三角形断面の空間を形成でき、これを前記裏面側隙間部分とすることができる。
【０００９】
この場合、前記ヘッドメンテナンス部を、前記側方隙間部分に配置されているヘッドキャップおよびワイパと、前記裏面側隙間部分に配置されている廃インクポンプ、モータおよび、このモータの回転力を前記廃インクポンプおよび前記ワイパに伝達するための動力伝達機構とを備えた構成とすれば、インクジェットヘッドのノズル面に対峙するように、ワイパおよびヘッドキャップを配置することができる。
【００１０】
また、前記ヘッドメンテナンス部を、前記第１および第２のフレーム側板部材の間に装着されたヘッドメンテナンスユニットとし、このヘッドメンテナンスユニットを、ユニットベースと、このユニットベースに取り付けられている前記廃インクポンプ、モータ、動力伝達機構、ヘッドキャップおよびワイバとを備えた構成とすることができる。この場合、前記ユニットベースを、前記第１および第２のフレーム側板部材の間に架け渡され、これらのフレーム側板部材に直交するフレーム前端面あるいはフレーム後端面を規定している端板部分と、この端板部分の前記第１のフレーム側板部材の端から当該第１のフレーム側板部材に沿って直角に折れ曲がって延びる側板部分とを備えたものとし、前記端板部分に、前記廃インクポンプ、モータ、および動力伝達機構を搭載し、前記側板部分に、前記ヘッドキャップおよびワイパを搭載することができる。
【００１１】
このようにヘッドメンテナンス部をユニット化すれば、その組み立て作業が容易になり、また、保守点検時の分解、再際組み立て作業も容易になる。
【００１２】
次に、前記記録紙搬送部も、前記記録紙ガイド板に対して、上側から装着された記録紙搬送ユニットを備えた構成とすることができる。この場合、この記録紙搬送ユニットを、前記ヘッドユニットに搭載されている前記インクジェットヘッドの印字位置を規定するプラテン板と、記録紙搬送ローラと、記録紙ガイド面とを備えたものとし、前記記録紙搬送ユニットを前記記録紙ガイド板に装着した状態において、前記記録紙ガイド面、前記記録紙搬送ローラおよび前記プラテン板と、前記記録紙ガイド板とによって、ほぼＶ字状に折れ曲がった記録紙搬送路を形成できるようにすればよい。
【００１３】
この構成によれば、記録紙搬送路をコンパクトに構成できる。また、記録紙搬送部の組み立て作業、および保守点検字の分解、再組み立て作業も容易になる。
【００１４】
一方、前記インク供給部を、前記第１および第２のフレーム側板部分の間に装着され、上方に開口した直方体形状のインクカートリッジホルダと、このインクカートリッジホルダに対して上方から着脱可能に装着された少なくと１個のインクカートリッジとを備えたカートリッジ式のものとすることができる。
【００１５】
この場合、前記インクカートリッジホルダの底板部分がフレーム底面の一部を規定し、当該インクカートリッジホルダの一方の端板部分が、前記第１および第２のフレーム側板部材に直交するフレーム後端面あるいはフレーム前端面を規定するような形状とすることができる。
【００１６】
このように、カートリッジ式のインク供給部とすれば、その保守点検時の分解、再組み立てが容易になる。
【００１７】
また、前記第１および第２のフレーム側板部材を、フレーム底板部を介して一体に形成することで、より組み立てが容易になる。
【００１８】
【発明の実施の形態】
以下に、図面を参照して、本発明を適用したインクジェットプリンタの一例を説明する。
【００１９】
図１は本例のインクジェットプリンタの内部構造を示す斜視図であり、図２はそのＩＩ−ＩＩ線で切断した部分の概略断面図であり、図３はユニット化されている部分を分解した状態で示す分解斜視図である。これらの図を参照して説明すると、本例のインクジェットプリンタ１は、全体として、偏平な矩形升状のプリンタフレーム組み立て体２に各部分が装着された構造となっており、そのプリンタ前端側には、記録紙搬送部３が装着されており、ここにはＶ字状の記録紙搬送路４が形成されている。この記録紙搬送経路４を通って記録紙５が印字位置６を経由して、上方に排出されるようになっている。
【００２０】
印字位置６を規定している垂直に配置したプラテン板７に対して、プリンタ後側から、キャリッジ８に搭載されたインクジェットヘッドが作り込まれているヘッドチップ９のノズル面１０が対峙している。キャリッジ８によってヘッドチップ９は、プリンタ幅方向ｘに往復移動して、印字位置６を通過する記録紙５の表面に所定の印字を行なうようになっている。キャリッジ８を移動させるために形成されているプリンタ幅方向ｘに延びるキャリッジ移動空間１１のプリンタ後側には、ヘッドチップ９にインクを供給するためのインク供給部１２が装着されており、ここから可撓性のインクチューブ１３（図４参照）を経由して、キャリッジ８によって移動するヘッドチップ９にインクが供給される。
【００２１】
また、記録紙搬送部３の裏面側から側方に亘って、ヘッドメンテナンスユニット１４が装着されており、このヘッドメンテナンスユニット１４は、キャリッジ８の移動経路の一方の端において、ヘッドチップ９のノズル面１０に対峙する位置に配置したワイパ１５と、ヘッドキャップ１６とを備えている。ワイパ１５によってノズル面１０の汚れが払拭される。また、ヘッドキャップ１６に対峙させた状態でヘッドチップ９の各インクノズルからインクを吐出することにより、あるいは、ヘッドキャップ１６をノズル面１０に被せた状態でインクを吐出すことにより、各インクノズルの回復動作が行われる。
【００２２】
次に、この構成のインクジェットプリンタ１における各部分の配置関係、および詳細構造を以下に説明する。
【００２３】
まず、本例のプリンタフレーム組み立て体２は、プリンタ幅方向の左右両側に平行に対向配置されている左側のフレーム側板部材２１および右側のフレーム側板部材２２を含んでいる。これらのフレーム側板部材２１、２２におけるプリンタ前後方向の中間位置には、これらの間に架け渡したプリンタ幅方向ｘに延びるガイド軸２３が配置され、このガイド溝２３のプリンタ後側の位置にも部材２１、２２間に架け渡したプリンタ幅方向ｘに延びる副ガイド軸２４が配置されている。これらガイド軸２３および副ガイド軸２４には、これらの軸に沿ってプリンタ幅方向ｘに往復移動可能な状態でキャリッジ８が搭載されている。
【００２４】
すなわち、キャリッジ８にはガイド軸２３が摺動自在の状態で貫通している貫通孔２５が形成され、当該キャリッジ８の後端には副ガイド軸２３の外周面を摺動可能な摺動片２６が形成されている。また、ガイド軸２３の下側位置には、同じくフレーム側板部材２１、２２の間にプリンタ幅方向ｘに延びるカム軸２７が架け渡されている。このカム軸２７の外周面にはその軸線方向に沿って螺旋状のカム溝２７ａが形成されており、ここに、キャリッジ８の裏面から下方に延びるカムフォロワ２８が摺動自在の状態で差し込まれている。カム軸２７が回転すると、キャリッジ８はガイド軸２３および副ガイド軸２４に沿ってプリンタ幅方向ｘに移動可能である。
【００２５】
この構成のキャリッジ８にはヘッドユニット３１が搭載されている。図４および図５は、キャリッジ８およびヘッドユニット３１を取出して示す斜視図および部分断面図である。これらの図に示すように、ヘッドユニット３１は、ユニットケース３２と、このユニットケース３２の上面に取り付けられたヘッドチップ９と、ユニットケース３２の内部に形成されたダンバ室３３と、同じくユニットケース３２の内部に形成されたヘッドチップ９の各インクノズル（図示せず）にインクを供給するインク供給路３４とを備えている。また、このユニットケース３２からは、ヘッドチップ９と外部回路を接続するための配線が形成されたフレキシブルプリンタ配線基板３５と、インクチューブ１３（１３ａ、１３ｂ）が引き出されている。
【００２６】
再び、図１ないし図３を参照して説明すると、ヘッドユニット３１が搭載されたキャリッジ８をプリンタ幅方向ｘに往復移動させるためのキャリッジ移動空間１１は、左右のフレーム側板部材２１、２２の間に形成されている。このキャリッジ移動空間１１に対してプリンタ後側におけるフレーム側板部材２１、２２の間に、インク供給部１２が装着されており、キャリッジ移動空間１１のプリンタ前方側におけるフレーム側板部材２１、２２の間に、記録紙搬送部３が配置されている。
【００２７】
記録紙搬送部３は、左右のフレーム側板部材２１、２２の間隔よりも短い長さ寸法とされているので、この記録紙搬送部３の左側には、当該搬送部３と左側のフレーム側板部材２１の間に側方隙間部分４１が形成されている。また、記録紙搬送部３の裏面側にも、フレーム側板部材２１、２２の下端面によって規定されるフレーム組み立て体２の底面４２と記録紙搬送部裏面４３によって区画されるプリンタ幅方向ｘに延びるほぼ三角形断面の裏面側隙間部分４４が形成されている。本例では、これら側方隙間部分４１および裏面側隙間部分４４を利用して、ヘッドメンテナンスユニット１４が配置されている。
【００２８】
更に詳細に説明すると、左側のフレーム側板部材２１は、側板部分２１ａと、この下端から直角に折れ曲がって他方のフレーム側板部材２２の側に延びる底板部分２１ｂと、この底板部分２１ｂの先端から直角に起立して上方に延びる取付け板部分２１ｃを備えている。他方のフレーム側板部材２２は、側板部分２２ａと、この下端から直角に折れ曲がって他方のフレーム側板部材２１の側に延びる底板部分２２ｂとを備えている。これら底板部分２１ｂ、２２ｂの裏面によってプリンタフレーム組み立て体２の底面４２が規定されている。
【００２９】
記録紙搬送部３は、右側のフレーム側板部材２２に取付けた記録紙ガイド板５１と、この記録紙ガイド板５１に対して、プリンタ厚さ方向ｚの上側から装着された記録紙搬送ユニット５２とを備えている。記録紙ガイド板５１は、上方に開いたほぼＶ字状に折り曲げられた断面形状をしており、フレーム組み立て体２の底面４２の上方位置において当該底面に平行に延びる底板部分５１ａと、この底板部分５１ａのプリンタ後側の縁から垂直に起立している垂直板部分５１ｂと、底板部分５１ａのプリンタ前側の縁からプリンタ前方に向けて斜め上方に傾斜した方向に延びる（換言すると、キャリッジ移動空間の側から遠ざかるに伴って上方に傾斜している）傾斜板部分５１ｃとを備えている。
【００３０】
この形状の記録紙ガイド板５１の両端が、それぞれ、左側のフレーム側板部材２１の取付け板部分２１ｃ、および右側のフレーム側板部材２２の側板部分２２ａに固定されている。また、その垂直板部分５１ｂの前側端面にはガイド板５３が取付けられ、当該ガイド板５３からは記録紙搬送用の従動ローラ５４がプリンタ前方に僅かに突出している。この記録紙ガイド板５１の底板部分５１ａおよび傾斜板部分５１ｃの裏面５１ｄと、フレーム組み立て体底面４２とによって、上記の裏面側隙間部分４４が形成されている。
【００３１】
これに対して、記録紙搬送ユニット５２は、上記のＶ字状に折り曲げられた断面形状の記録紙ガイド板５１と相補的な輪郭形状をしたユニットベース５５を備えている。このユニットベース５５のプリンタ後端側の面は垂直面であり、ここにはプラテン板７が取り付けられている。ユニットベース５５の先細りの下端部には記録紙搬送ローラ５６が回転自在の状態で取付けられており、ユニットベース５５のプリンタ前側の面は下端部から斜め上方に傾斜した記録紙ガイド面５７とされている。
【００３２】
記録紙搬送ユニット５２を記録紙ガイド板５１に装着した状態においては、ユニット側の記録紙ガイド面５７が記録ガイド板５１の傾斜板部分５１ｃに対峙し、記録紙搬送ローラ５６がガイドローラ５４に圧接し、プラテン板７が垂直ガイド板５３に対峙する。これによって、Ｖ字状の記録紙搬送路４が形成される。
【００３３】
次に、図６および図７は、ヘッドメンテナンスユニット１４をプリンタ後側から見た斜視図および正面図である。これらの図を参照して説明すると、ヘッドメンテナンスユニット１４は、上述した側方隙間部分４１に配置されているヘッドキャップ１６およびワイパ１５と、同じく上述した裏面側隙間部分４４に配置されている廃インクポンプ６１、モータ６２および、このモータ６２の回転力を廃インクポンプ６１、ワイパ１５およびヘッドキャップ１６に伝達するための動力伝達機構６３とを備えている。
【００３４】
本例のヘッドメンテナンスユニット１４は、左右のフレーム側板部材２１、２２間に装着されたユニットベース６４を備え、このユニットベース６４に、上記の各部分１５、１６、６１、６２、６３が搭載されている。
【００３５】
本例のユニットベース６４は、左右のフレーム側板部材２１、２２の間に架け渡され、これらのフレーム側板部材２１、２２に直交するフレーム組み立て体２のプリンタ前面を規定している端板部分６４ａと、この端板部分６４ａのフレーム側板部材２１の側の端から当該フレーム側板部材の側板部分２１ａに沿って直角に折れ曲がって延びる側板部分６４ｂとを備えたＬ形をしている。端板部分６４ａのプリンタ後側の表面には、廃インクポンプ６１、モータ６２、および動力伝達機構６３が搭載され、側板部分６４ｂには、ヘッドキャップ１６およびワイパ１５が搭載されている。
【００３６】
次に、本例のインク供給部１２は、左右のフレーム側板部材２１、２２の間に装着され、上方に開口した矩形升形状をしたインクカートリッジホルダ７１と、このインクカートリッジホルダ７１に対して上方から着脱可能に装着された２個のインクカートリッジ７２、７３とを備えている。インクカートリッジホルダ７１の左右の側板部分７１ａ、７１ｂは、それぞれ、左右のフレーム側板部材２１、２２の側板部分２１ａ、２２ａに取付けられている。また、インクカートリッジホルダ７１の底板部分７１ｃは、フレーム側板部材２１、２２の底板部分２１ｂ、２２ｂと同一の平面上に位置し、フレーム組み立て体２の底面４２を規定している。さらに、当該インクカートリッジホルダ７１のプリンタ後側の端板部分７１ｄは、フレーム側板部材２１、２２の側面に直交するフレーム組み立て体２のプリンタ後端面を規定している。
【００３７】
図８および図９は、インクカートリッジ７２、７３を示す分解斜視図である。インクカートリッジ７２は黒インクのカートリッジであり、ケース本体７２ａとケース蓋７２ｂを備え、そのケース本体７２ａの内部には、吸収体７２ｃに充填された状態でカラーインクを貯えたカラーインク貯溜部と、インク吸収体７２ｄに廃インクを回収する廃インク回収部が区画形成されており、それぞれには、ケース本体７２ａの底面に形成したインク供給口７２ｅ、インク回収口７２ｆが連通している。
【００３８】
他方のインクカートリッジ７３は黒インクのカートリッジであり、ケース７３ａとケース蓋７３ｂを備え、ケース本体内部には、吸収体７３ｃに充填された状態で黒インクを貯えた黒インク貯溜部７３ｄが形成され、この貯溜部７３ｄには、ケース本体底面に形成されたインク供給口７３ｅが連通している。
【００３９】
インクカートリッジホルダ７１の底面には、各インク供給口７２ｅ、７３ｅおよびインク回収口７２ｆに接続可能な接続口（図示せず）が形成されており、インクカートリッジ７２、７３を装着すると、インクチューブ１３ａ、１３ｂを介してヘッドチップ９へのインク供給経路が形成され、同時に、インクメンテナスユニット１４で回収された廃インクを回収するための廃インク回収経路が形成される。
【００４０】
このように構成した本例のインクジェットプリンタ１は、偏平な矩形形状のフレーム組み立て体２を備えており、このフレーム組み立て体２が、左右のフレーム側板部材２１、２２と、そのプリンタ前端に取り付けたヘッドメンテナスユニット１４のユニットベース６４と、プリンタ後端に取り付けたインク供給部１２のインクカートリッジホルダ７１とによって構成されている。また、ヘッドメンテナンスユニット１４は、記録紙搬送部３の記録紙ガイド板５１の裏面と、フレーム組み立て体２の底面４２との間に形成した裏面側隙間部分４４と、記録紙搬送部３とフレーム側板部材２１の間に形成された側方隙間部分４１とを利用して、矩形のフレーム組み立て体２に納まるように配置されている。
【００４１】
従って、本例のインクジェットプリンタ１では、キャリッジ８の移動空間１１を挟み、前後に記録紙搬送部３およびインク供給部１２がコンパクトに配置され、記録紙搬送部３の裏面側および側方の空き空間を利用してヘッドメンテナンスユニット１４がコンパクトに装着されている。従って、偏平で、小型のインクジェットプリンタを実現できる。
【００４２】
また、本例では、保守点検が必要とされるヘッドメンテナンスのための部分、および記録紙搬送機構をユニット化してある。従って、小型でありながら、組み立て作業が容易であり、また、保守点検時の分解、再組み立ても容易である。
【００４３】
【発明の効果】
以上説明したように、本発明のインクジェットプリンタによれば、プリンタの左右に配置した第１および第２のフレーム側板部材の間において、必要とされるキャリッジ移動空間を挟み、その前後に、当該移動空間の幅寸法に納まるように、また上下に重ならないように、記録紙搬送部とインク供給部を配列している。さらに、ヘッドメンテナンス部は、前後方向に配列した記録紙搬送部、キャリッジ移動空間、インク供給部によって必要とされる空間内の空きスペースに配置するようにしている。さらには、ヘッドメンテナンス部および記録紙搬送部をユニット化して組み立ておよび分解を容易にしてある。
【００４４】
従って、本発明によれば、プリンタの前後および左右、並びに厚さ寸法を可能な限り小さくできるので、組み立て性、保守性を損なうことなく、小型のインクジェットプリンタを実現できる。
【図面の簡単な説明】
【図１】本発明を適用したインクジェットプリンタの構成を示す斜視図である。
【図２】図１のＩＩ−ＩＩ線で切断した部分の概略断面図である。
【図３】図１のインクジェットプリンタの主要部分を分解した状態で示す分解斜視図である。
【図４】図１のインクジェットプリンタにおけるキャリッジおよびヘッドユニットを取出して示す斜視図である。
【図５】図４のＶ−Ｖ線で切断した部分の断面図である。
【図６】図１のインクジェットプリンタにおけるヘッドメンテナンスユニットを示す斜視図である。
【図７】図６のヘッドメンテナンスユニットをプリンタ後方から見た場合の正面図である。
【図８】図１のインクジェットプリンタにおけるインクカートリッジを示す分解斜視図である。
【図９】図１のインクジェットプリンタにおけるインクカートリッジを示す分解斜視図である。
【符号の説明】
１    インクジェットプリンタ
２    フレーム組み立て体
３    記録紙搬送部
４    Ｖ字形の搬送路
５    記録紙
６    印字位置
７    プラテン板
８    キャリッジ
９    ヘッドチップ
１０  ノズル面
１１  キャリッジ移動空間
１２  インク供給部
１３  インクチューブ
１４  ヘッドメンテナンスユニット
１５  ワイパ
１６  ヘッドキャップ
２１  フレーム側板部材
２２  フレーム側板部材
２３  ガイド軸
２４  副ガイド軸
２５  貫通孔
２６  摺動片
２７  カム軸
２８  カムフォロワ
３１  ヘッドユニット
３２  ユニットケース
３３  ダンバ室
３４  インク供給路
３５  配線基板
４１  側方隙間部分
４２  フレーム底面
４３  記録紙搬送部裏面
４４  裏面側隙間部分
５１  記録紙ガイド板
５２  記録紙搬送ユニット
５３  ガイド板
５４  ガイドローラ
５５  ユニットベース
５６  搬送ローラ
５７  ガイド面
６１  廃インクポンプ
６２  モータ
６３  動力伝達機構
６４  ユニットベース
６４ａ  端板部分
６４ｂ  側板部分
７１  インクカートリッジホルダ
７１ｄ  端板部分
７２、７３  インクカートリッジ
【図１】
0004696379.tif 000002
【図２】
0004696379.tif 000003
【図３】
0004696379.tif 000004
【図４】
0004696379.tif 000005
【図５】
0004696379.tif 000006
【図６】
0004696379.tif 000007
【図７】
0004696379.tif 000008
【図８】
0004696379.tif 000009
【図９】
0004696379.tif 000010